(57)【要約】【課題】  オリジナルの解像感をプロジェクタにて簡易且つ精度良く再現する。【解決手段】  表示装置とスクリーンにおける第１の位置情報を入力表示するステップと、観察者とスクリーンにおける第２の位置情報を入力表示するステップと、前記第１の位置情報から第１の補正係数を算出するステップと、前記第２の位置情報から第２の補正係数を算出するステップと、前記第１、第２の補正係数から画像補正を行うステップを有し、前記画像補正ステップはさらに所定の閾値以上の信号値の相違する画素を検索するステップと、検索した画素に対して前記第１および第２の補正係数によって補正演算を行うステップとを有する。【選択図】  図２
2007072296.tif 000002
【特許請求の範囲】
【請求項１】
表示装置への画像の周波数応答に対する画像補正をする画像補正方法であって、
表示装置とスクリーンにおける第１の位置情報を入力表示するステップと、
観察者とスクリーンにおける第２の位置情報を入力表示するステップと、
前記第１の位置情報から第１の補正係数を算出するステップと、
前記第２の位置情報から第２の補正係数を算出するステップと、
前記第１、第２の補正係数から画像補正を行うステップ
を有し、前記画像補正ステップはさらに
所定の閾値以上の信号値の相違する画素を検索するステップと、
検索した画素に対して前記第１および第２の補正係数によって補正演算を行うステップ、
とからなることを特徴とする測色値補正方法。
【請求項２】
画像を表示する画像表示手段と、
前記画像表示する画像表示装置とスクリーンおよび観察者の位置情報設定手段と、
前記画像表示装置に表示された画像の補正係数算出手段と、
前記位置関係補正係数から画像補正を行う画像補正手段算出手段
とを備え、
前記補正係数算出手段は、あらかじめ保持している位置情報に対応する補正係数を記載した検索表より、補正係数を補間により算出する
ことを特徴とする画像処理装置。
【請求項３】
画像を表示する画像表示手段と、
前記画像表示する画像表示装置とスクリーンおよび観察者の位置情報設定手段と、
前記画像表示装置に表示された画像の補正係数算出手段と、
前記位置関係補正係数から画像補正を行う画像補正手段算出手段
とを備え、
前記補正係数算出手段は、あらかじめ保持している位置情報に対応する表示画像の空間周波数および周波数応答値と、入力された位置情報から現在の空間周波数および周波数応答値を算出し、前記周波数応答値が規定の値になるよう補正係数を算出する
ことを特徴とする画像処理装置
【請求項４】
請求項１、２、３に記載の画像補正装置であって、
前記補正手段は、独立した信号値に対して、個別の補正係数を用いて個別に補正を行う
ことを特徴とする画像処理装置。
【請求項５】
表示装置への画像の周波数応答に対する画像補正をする画像補正方法であって、
表示装置とスクリーンにおける第１の位置情報を入力表示するステップと、
観察者とスクリーンにおける第２の位置情報を入力表示するステップと、
前記第１の位置情報から第１の補正係数を算出するステップと、
前記第２の位置情報から第２の補正係数を算出するステップと、
前記第１、第２の補正係数から画像補正を行うステップ
を有し、前記画像補正ステップはさらに所定の画像を周波数画像へ変換するステップと、
前記変換された周波数画像を第１の補正係数にて変換するステップと、
前記変換された周波数画像から画像へ逆変換するステップと、所定の画像を周波数画像へ変換するステップと、
前記変換された周波数画像を第２の補正係数にて変換するステップと、
前記変換された周波数画像から画像へ逆変換するステップと、
とからなることを特徴とする測色値補正方法。
【請求項６】
請求項５に記載の画像補正装置であって、前記補正係数算出手段は、あらかじめ保持している位置情報に対応する補正係数を記載した検索表より、補正係数を補間により算出する
ことを特徴とする画像処理装置。
【請求項７】
請求項５に記載の画像補正装置であって、前記補正係数算出手段は、あらかじめ保持している位置情報に対応する表示画像の空間周波数および周波数応答値と、入力された位置情報から現在の空間周波数および周波数応答値を算出し、前記周波数応答値が規定の値になるよう補正係数を算出する
ことを特徴とする画像処理装置。
【請求項８】
表示装置への画像の周波数応答に対する画像補正をする画像補正方法であって、
表示装置とスクリーンにおける第１の位置情報を入力表示するステップと、
観察者とスクリーンにおける第２の位置情報を入力表示するステップと、
目標とする周波数応答値を入力表示するステップと、
前記第１の位置情報と前記周波数応答値から第１の補正係数を算出するステップと、
前記第２の位置情報と前記周波数応答値から第２の補正係数を算出するステップと、
前記第１、第２の補正係数から画像補正を行うステップ
を有し、前記画像補正ステップはさらに所定の閾値以上の信号値の相違する画素を検索するステップと、
検索した画素に対して前記第１および第２の補正係数によって補正演算を行うステップ、
とからなることを特徴とする測色値補正方法。
【請求項９】
表示装置への画像の周波数応答に対する画像補正をする画像補正方法であって、
表示装置とスクリーンにおける第１の位置情報を入力表示するステップと、
観察者とスクリーンにおける第２の位置情報を入力表示するステップと、
目標とする周波数応答値を入力表示するステップと、
前記第１の位置情報と前記周波数応答値から第１の補正係数を算出するステップと、
前記第２の位置情報と前記周波数応答値から第２の補正係数を算出するステップと、
前記第１、第２の補正係数から画像補正を行うステップ
を有し、前記画像補正ステップはさらに所定の画像を周波数画像へ変換するステップと、
前記変換された周波数画像を第１の補正係数にて変換するステップと、
前記変換された周波数画像から画像へ逆変換するステップと、
所定の画像を周波数画像へ変換するステップと、
前記変換された周波数画像を第２の補正係数にて変換するステップと、
前記変換された周波数画像から画像へ逆変換するステップと、
とからなることを特徴とする測色値補正方法。
【発明の詳細な説明】
【技術分野】
【０００１】
本発明は、プロジェクタの色再現における、解像度測定方法ならびに解像度補正方法に関するものである。
【背景技術】
【０００２】
近年、一つのＲＧＢカラー画像データが、プロジェクタから出力される機会が増えている。これらプロジェクタの用途は、従来からある業務用プロジェクタやプライベートシアターだけでなく、商業／産業としての利用まで多岐に渡っている。その際、それぞれの用途に合わせてプロジェクタに求められる画像再現も異なってくる。例えば、商業用での利用では展示会や顧客との打ち合わせにおいて、商品イメージのプロジェクション用ディスプレイとして利用する場合や、実際の商品とプロジェクタ、あるいはプリント物とプロジェクタの投影画面を並列して展示する場合がある。また、産業用での利用では、製品と実寸大のプロジェクタ表示にて製品の見えをシミュレートすることや、大判プルーファの実寸大プレビュー表示用のディスプレイとして用いることがある。商業、産業いずれの場合も、オリジナル（商品／製品／プリント）のイメージを正確に伝達／確認する事は勿論、オリジナルとプロジェクタを並列しこれらをマッチングすることが求められている。そのため、従来行っていた色やコントラストのマッチングだけでなく、オリジナルと同等の解像感を再現する技術が必要となっている。
【０００３】
上記プロジェクタの解像感を再現する技術として特開２００４−３４７９０７にあるような技術がある。この技術は、レンズ駆動系を操作して焦点を合わせるものである。また、別の技術として特開２００３−０３２５８０にあるような技術がある。この技術はプロジェクタおよびスクリーンの位置関係と面内の基準点の解像度に着目し、投影面内の解像感を均一に補正するものである。いずれの場合もプロジェクタとスクリーンの位置関係が変化しても解像感を一定に保つことが可能であるが、スクリーンと観察者の視点位置を考慮した方法ではないため、観察者の位置が変化した際には所望の解像感を得ることができない。更には、観察者からオリジナルを観察した際の視覚の空間周波数特性をプロジェクタの再現に反映する方法がないため、オリジナルの解像度にマッチングさせることができない。
【発明の開示】
【発明が解決しようとする課題】
【０００４】
このように、上記手法を用いる一般の従来技術では、観察者の位置情報を考慮した補正を行うシステム、オリジナルの空間周波数情報の反映するシステムの不備に起因してオリジナルの持つ解像感をプロジェクタにて再現することができなかった。
【０００５】
そこで本発明は、上述のような従来技術における問題点を克服し、オリジナルの解像感をプロジェクタにて簡易且つ精度良く再現する技術を提供することを目的とするものである。本発明に依れば、あらかじめ分かっているオリジナルの空間周波数あるいはオリジナルの空間周波数を測定し、前記空間周波数とプロジェクタとスクリーンの位置関係から第1の補正係数を算出し、前記空間周波数とスクリーンと観察者の位置関係から第2の補正係数を算出し、簡易的にオリジナルの解像度を再現する高精度なプロジェクタ色再現が可能となる。
【課題を解決するための手段】
【０００６】
以上のような課題を解決する為、本発明は表示装置への画像の周波数応答に対する画像補正をする画像補正方法であって、表示装置とスクリーンにおける第１の位置情報を入力表示するステップと、観察者とスクリーンにおける第２の位置情報を入力表示するステップと、前記第１の位置情報から第１の補正係数を算出するステップと、前記第２の位置情報から第２の補正係数を算出するステップと、前記第１、第２の補正係数から画像補正を行うステップを有し、前記画像補正ステップはさらに所定の閾値以上の信号値の相違する画素を検索するステップと、検索した画素に対して前記第１および第２の補正係数によって補正演算を行うステップ、とからなることを特徴とする手段をとる。
【発明の効果】
【０００７】
本願請求項１記載の発明によれば、ユーザにより入力されたプロジェクタ−スクリーンの位置関係情報および観察者−スクリーン位置関係情報をもとに、補正係数を算出すると共に画像補正を行う。これにより、プロジェクタ、スクリーン、観察者の位置関係に最適な解像度画像を得ることができる。
【０００８】
また、本願請求項３記載の発明によれば、ユーザにより入力されたプロジェクタ−スクリーンの位置関係情報および観察者−スクリーン位置関係情報をもとに、プロジェクタ−スクリーンとの位置関係により求まる空間周波数を持って周波数応答を算出するとともに、算出した周波数応答が規定の値となるよう補正を行う。これにより、プロジェクタ、スクリーン、観察者の位置関係に一定の周波数応答を得る解像度画像を表示することができる。
【０００９】
また、本願請求項５記載の発明によれば、ユーザにより入力されたプロジェクタ−スクリーンの位置関係情報および観察者−スクリーン位置関係情報、目標とする周波数応答値をもとに、プロジェクタ−スクリーンとの位置関係により求まる空間周波数を持って周波数応答を算出するとともに、算出した周波数応答が規定の値となるよう補正を行う。これにより、プロジェクタ、スクリーン、観察者の位置関係に一定の周波数応答を得るばかりでなく、対象となるプリント物等のオリジナルの周波数応答値と同等の解像度画像を表示することができる。
【発明を実施するための最良の形態】
【００１０】
＜第1実施例＞
図１は本発明の第１の実施例としての画像処理装置を示すブロック図である。前記構成において、１０１はＣＰＵ、１０２はメインメモリ、１０３はＳＣＳＩインタフェース、１０４はネットワークインタフェース、１０５はＨＤＤ、１０６はグラフィックアクセラレータ、１０７はプロジェクタ、１０８はＲＣ２３２Ｃユニット、１０９は測光器、１１０はキーボード／マウスコントローラ、１１１はキーボード、１１２はマウス、１１３はローカルエリアネットワーク、１１４はＰＣＩバスである。
【００１１】
上記構成における、１０７プロジェクタのプロジェクション動作について述べる。まず、ＨＤＤ１０５に格納されている画像補正アプリケーションが、ユーザの指示を受けたＯＳプログラムに基づき、ＣＰＵ１０１にて起動される。続いて画像補正アプリケーション内の処理にしたがって、後述のＵＩ画面を表示し、ユーザの入力待ち状態となる。ユーザによって入力が行われた後に、入力情報から画像補正アプリケーション内の処理に従って、メインメモリ１０２に保持されている画像に対して補正を行い、プロジェクタ１０７に転送されプロジェクションされる。
【００１２】
以下では、上記構成における画像補正アプリケーションにおける画像補正動作について、図２のフローチャートを用いて説明する。本実施例における画像補正アプリケーションは、ユーザによる入力処理、画像を補正する補正係数算出処理、算出した補正係数を用いた補正処理の３つの処理を経て画像補正を行う。
【００１３】
まず、ステップ２０１では、初期化動作を行う。
【００１４】
次にステップ２０２では、後述のＵＩ画面を表示し、ユーザにより設定値を入力する。
【００１５】
ステップ２０３では、入力された情報から補正係数を算出する。
【００１６】
ステップ２０４では、ステップ２０３にて算出した補正係数に基づき画像の補正を行う。
【００１７】
ステップ２０５では、補正動作を終了する。
【００１８】
以下では図２の構成における、ステップ２０２のユーザによる入力処理について説明する。
【００１９】
最初、ＨＤＤ１０５に格納されている画像補正アプリケーションが、ユーザの指示を受けたＯＳプログラムに基づき、ＣＰＵ１０１にて起動される。画像補正アプリケーションが起動されると、図３に示すダイアログウィンドウが表示される。ダイアログついては後で詳しく説明するが、ユーザは図３のウィンドウを用いて、プロジェクタとスリーンとの距離およびユーザとスクリーンの距離とについて指定ならびに確認する。ここで、各設定項目について問題ないと判断したユーザが設定ボタンを押下することで、設定情報がＨＤＤ１０５に保存される。
【００２０】
以下では、図３のダイアログウィンドウについて説明する。３０１はプロジェクタとスクリーンの距離を設定するダイアログボックスであり、距離情報の入力あるいは表示がされる。３０２は観察者とスクリーンの距離を設定するダイアログボックスであり、距離情報の入力あるいは表示がされる。３０３は設定ボタンであり、このボタンを押下すると設定したプロジェクタ−スクリーンの距離、観察者−スクリーンの距離がＨＤＤ１０５に送信される。３０４は終了ボタンであり、このボタンを押下すると、ＣＰＵ１０１に設定が終了したことを送信すると共にダイアログウィンドウを終了する。
【００２１】
以下では、ステップ２０３における補正係数算出処理について図４のフローチャートを用いて説明する。
【００２２】
ステップ４０１ではメモリ領域の確保といった初期化を行う。
【００２３】
ステップ４０２では、ステップ２０２にてＨＤＤ１０５に送信した各距離情報を取得する。
【００２４】
ステップ４０３では、後述の処理に基づいてプロジェクタ−スクリーンの位置関係による第1の補正係数を決定する。
【００２５】
ステップ４０４では、後述の処理に基づいて観察者−スクリーンの位置関係による第2の補正係数を決定する。
【００２６】
ステップ４０５では、測定値補正処理を終了する。
【００２７】
以下では、ステップ４０３における補正係数決定処理について図５のフローチャートを用いて説明する。
【００２８】
ステップ５０１ではメモリ領域の確保といった初期化を行う。
【００２９】
ステップ５０２では、ステップ４０２にて取得した各距離情報のうちプロジェクタ−スクリーンの距離情報から、図６に示すＬＵＴを用いて距離に応じた補正係数t1を線形補間により算出する。
【００３０】
ステップ５０３では、補正係数算出に関する処理を終了する。
【００３１】
以下では、ステップ４０４における補正係数決定処理について図７のフローチャートを用いて説明する。
【００３２】
ステップ７０１ではメモリ領域の確保といった初期化を行う。
【００３３】
ステップ７０２では、ステップ４０２にて取得した各距離情報のうち観察者−スクリーンの距離情報から、図８に示すＬＵＴを用いて距離に応じた補正係数t2を線形補間により算出する。
【００３４】
ステップ７０３では、補正係数算出に関する処理を終了する。
【００３５】
以下では、ステップ２０４における画像補正処理について図９のフローチャートを用いて説明する。
【００３６】
ステップ９０１ではメモリ領域の確保といった初期化を行う。
【００３７】
ステップ９０２では、メインメモリ１０２に保持されている画像について、各画素i(i＝0〜n)のＲＧＢデータを取得する。
【００３８】
ステップ９０３では、画素iについて所定の閾値sの分だけ周囲のピクセルと異なるかを判定し、異なる場合はステップ９０４へジャンプし、そうでなければ画素番号を表すiに１を加えてステップ９０３へジャンプする。
ステップ９０４では、式１により所定の変換比率tだけピクセルのＲＧＢ値を補正する。
【００３９】
【数１】
2007072296.tif 000003
【００４０】
ステップ９０５では、ステップ９０３の処理がすべてのピクセルに対して行われていればステップ９０６へ、そうでなければステップ９０３へジャンプする。
ステップ９０７では、終了に関する動作を行う。
【００４１】
本実施例に依れば、ユーザにより入力されたプロジェクタ−スクリーンの位置関係情報および観察者−スクリーン位置関係情報をもとに、補正係数を算出すると共に画像補正を行う。これにより、プロジェクタ、スクリーン、観察者の位置関係に最適な解像度画像を得ることができる。
【００４２】
＜第２実施例＞
本実施例は、第１の実施例における図２の処理について、ステップ２０３での、補正係数算出について、ＬＵＴを用いない場合の処理をまとめたものである。以下、第一実施例からの差異についてのみ説明する。
【００４３】
以下では、ステップ４０３における補正係数決定処理について図１０のフローチャートを用いて説明する。
【００４４】
ステップ１００１ではメモリ領域の確保といった初期化を行う。
【００４５】
ステップ１００２では、ステップ４０２にてー取得した各距離情報のうちプロジェクタ−スクリーンの距離情報d1'およびあらかじめ規定してある基準距離d1と基準空間周波数v1‘との関係からプロジェクタ−スクリーンの位置関係によって定まる空間周波数v1を式２から算出する。
【００４６】
【数２】
2007072296.tif 000004
【００４７】
ステップ１００３では、ステップ１００２にて算出したv１および式３から周波数応答値F1を算出する。
【００４８】
【数３】
2007072296.tif 000005
【００４９】
ステップ１００４では、F1およびあらかじめ定められた基本周波数応答値Ｆ1'とについて式４から補正係数t1を算出する。
【００５０】
【数４】
2007072296.tif 000006
【００５１】
ステップ１００５では、補正係数算出に関する処理を終了する。
【００５２】
以下では、ステップ４０４における補正係数決定処理について図１１のフローチャートを用いて説明する。
【００５３】
ステップ１１０１ではメモリ領域の確保といった初期化を行う。
【００５４】
ステップ１１０２では、ステップ４０２にてー取得した各距離情報のうち観察者−スクリーンの距離情報d2'およびあらかじめ規定してある基準距離d2と基準空間周波数v2'との関係からプロジェクタ−スクリーンの位置関係によって定まる空間周波数v2を式５から算出する。
【００５５】
【数５】
2007072296.tif 000007
【００５６】
ステップ１１０３では、ステップ１００２にて算出したv2および式６から周波数応答値F2を算出する。
【００５７】
【数６】
2007072296.tif 000008
【００５８】
ステップ１１０４では、F2およびあらかじめ定められた基本周波数応答値Ｆ2'とについて式４から補正係数t2を算出する。
【００５９】
【数７】
2007072296.tif 000009
【００６０】
ステップ１1０５では、補正係数算出に関する処理を終了する。
【００６１】
以下では、ステップ２０４における画像補正処理について図１２のフローチャートを用いて説明する。
【００６２】
ステップ１２０１ではメモリ領域の確保といった初期化を行う。
【００６３】
ステップ１２０２では、図示しない方法によりメインメモリ１０２に保持されている画像について、２次元ＦＦＴ変換を行い、周波数画像へ変換する。
【００６４】
ステップ１２０３では、式７にて求めた係数t1より周波数画像の各画素値Ｐi（i=0〜n）について式７の演算を行う。
【００６５】
【数８】
2007072296.tif 000010
【００６６】
ステップ１２０４では、ステップ１２０３の処理がすべての画素に対して行われていればステップ１２０５へ、そうでなければステップ１２０３へジャンプする。
【００６７】
ステップ１２０５では、図示しない方法によりステップ１２０４にて変換した周波数画像に対して逆２次元ＦＦＴ変換を行う。
【００６８】
ステップ１２０６では、図示しない方法によりステップ１２０５にて変換した画像について、２次元ＦＦＴ変換を行い、周波数画像へ変換する。
【００６９】
ステップ１２０６では、式８にて求めた係数t2より周波数画像の各画素値Ｐi（i=0〜n）について式７の演算を行う。
【００７０】
【数９】
2007072296.tif 000011
【００７１】
ステップ１２０７では、ステップ１２０６の処理がすべての画素に対して行われていればステップ１２０８へ、そうでなければステップ１２０６へジャンプする。
【００７２】
ステップ１２０８では、図示しない方法によりステップ１２０６にて変換した周波数画像に対して逆２次元ＦＦＴ変換を行う。
【００７３】
ステップ１２０９では、終了に関する動作を行う。
【００７４】
本実施例に依れば、ユーザにより入力されたプロジェクタ−スクリーンの位置関係情報および観察者−スクリーン位置関係情報をもとに、プロジェクタ−スクリーンとの位置関係により求まる空間周波数を持って周波数応答を算出するとともに、算出した周波数応答が規定の値となるよう補正を行う。これにより、プロジェクタ、スクリーン、観察者の位置関係に一定の周波数応答を得る解像度画像を表示することができる。
【００７５】
＜第３実施例＞
本実施例は、第２の実施例における図２の処理について、基本とする周波数応答値を指定して画像補正を行う場合の処理をまとめたものである。以下、第２実施例からの差異についてのみ説明する。
【００７６】
以下では図２の構成における、ステップ２０２のユーザによる入力処理について説明する。
【００７７】
最初、ＨＤＤ１０５に格納されている画像補正アプリケーションが、ユーザの指示を受けたＯＳプログラムに基づき、ＣＰＵ１０１にて起動される。画像補正アプリケーションが起動されると、図３に示すダイアログウィンドウが表示される。ダイアログついては後で詳しく説明するが、ユーザは図１３のウィンドウを用いて、プロジェクタとスリーンとの距離およびユーザとスクリーンの距離とについて指定ならびに確認する。ここで、各設定項目について問題ないと判断したユーザが設定ボタンを押下することで、設定情報がＨＤＤ１０５に保存される。
【００７８】
以下では、図１３のダイアログウィンドウについて説明する。１３０１はプロジェクタとスクリーンの距離を設定するダイアログボックスであり、距離情報の入力あるいは表示がされる。１３０２は観察者とスクリーンの距離を設定するダイアログボックスであり、距離情報の入力あるいは表示がされる。１３０３は周波数応答設定ダイアログボックスであり、周波数応答値の相対値を入力あるいは表示される。１３０４は設定ボタンであり、このボタンを押下すると設定したプロジェクタ−スクリーンの距離、観察者−スクリーンの距離、周波数応答の相対値が周波数応答ＦとしてＨＤＤ１０５に送信される。１３０５は終了ボタンであり、このボタンを押下すると、ＣＰＵ１０１に設定が終了したことを送信すると共にダイアログウィンドウを終了する。
【００７９】
本実施例に依れば、ユーザにより入力されたプロジェクタ−スクリーンの位置関係情報および観察者−スクリーン位置関係情報、目標とする周波数応答値をもとに、プロジェクタ−スクリーンとの位置関係により求まる空間周波数を持って周波数応答を算出するとともに、算出した周波数応答が規定の値となるよう補正を行う。これにより、プロジェクタ、スクリーン、観察者の位置関係に一定の周波数応答を得るばかりでなく、対象となるプリント物等のオリジナルの周波数応答値と同等の解像度画像を表示することができる。
【００８０】
（他の実施の形態）
＜階調特性作成＞
前記第１実施例では変換時のＲＧＢの比重を同一としたが、比重を変更し、所望の色になるよう変換することも可能である。
【００８１】
＜クリッピング例外処理＞
前記実施例ではステップ９０４およびステップ１２０６での例外処理として、メインメモリ１０２に保持されている画像の所定のBit数を越える値に変換される鋳物については最大輝度信号値にクリップすることも可能である。
【図面の簡単な説明】
【００８２】
【図１】第１の実施例における画像処理装置のシステム構成を示すブロック図である。
【図２】第１の実施例における画像補正動作を示すフローチャート図である。
【図３】第１、第２の実施例における画像補正アプリケーションのユーザインタフェースを示す図である。
【図４】第１の実施例における補正係数算出動作を示すフローチャート図である。
【図５】第１の実施例における補正係数算出動作を示すフローチャート図である。
【図６】第１の実施例における距離情報と補正係数のテーブルフォーマットを示す模式図である。
【図７】第１の実施例における補正係数算出動作を示すフローチャート図である。
【図８】第１の実施例における距離情報と補正係数のテーブルフォーマットを示す模式図である。
【図９】第１の実施例における画像処理動作を示すフローチャート図である。
【図１０】第２の実施例における画像補正係数算出動作を示すフローチャート図である。
【図１１】第２の実施例における画像補正係数算出動作を示すフローチャート図である。
【図１２】第２の実施例における画像処理動作を示すフローチャート図である。
【図１３】第３の実施例における画像補正アプリケーションのユーザインタフェースを示す図である。
【図１】
2007072296.tif 000012
【図２】
2007072296.tif 000013
【図３】
2007072296.tif 000014
【図４】
2007072296.tif 000015
【図５】
2007072296.tif 000016
【図６】
2007072296.tif 000017
【図７】
2007072296.tif 000018
【図８】
2007072296.tif 000019
【図９】
2007072296.tif 000020
【図１０】
2007072296.tif 000021
【図１１】
2007072296.tif 000022
【図１２】
2007072296.tif 000023
【図１３】
2007072296.tif 000024